(57)【要約】【課題】静止画撮影の際に不自然さの伴うことのない、動画と静止画とが撮影できる撮像装置を提供する。【解決手段】静止画撮影のためのレリーズスイッチを半押しし、第１段目のスイッチＳＷ１がオンすると（Ｓ１０３，ＹＥＳ）、オートフォーカスの測距エリアが狭められ（Ｓ１０４）、レリーズスイッチを全押しし、第２段目のスイッチＳＷ２がオンすると（Ｓ１０５，ＹＥＳ）、静止画が記録される。その後、オートフォーカスの測距エリアが拡げられ（Ｓ１０７）、電源オフでなければ（Ｓ１０８，ＮＯ）、Ｓ１０１に戻り、動画撮影のためのスイッチＳＷ０がオンしていれば（Ｓ１０１，ＹＥＳ）、動画撮影が行われる。このように、静止画，動画は夫々に合った広さの測距エリアで測距されて撮影されるので不自然さを伴うことがない。【選択図】図２
2008289190.tif 000002
【特許請求の範囲】
【請求項１】
動画と静止画が撮影できる撮像装置であって、
光学的手ぶれ補正手段と、
前記静止画撮影の際に、前記光学的手ぶれ補正手段の動作特性を前記動画撮影のときとは異なるように制御する制御手段と、
静止画撮影のための複数段のスイッチを有するレリーズ手段と、
を備え、
前記制御手段は、前記レリーズ手段の操作による前記複数段のスイッチのうちの第１段目のスイッチの動作に応じて、前記光学的手ぶれ補正手段のハイパスフィルタのカットオフ周波数を高周波側へ切り換え、第２段のスイッチの動作に応じて、前記カットオフ周波数を低周波側に切り換えて、前記光学的手ぶれ補正手段の動作特性を動画撮影のときとは異なるように制御するものであることを特徴とする撮像装置。
【請求項２】
動画と静止画が撮影できる撮像装置であって、
光学的手ぶれ補正手段と、
前記静止画撮影に先だって、前記光学的手ぶれ補正手段をその光学的中立位置近傍に戻すように制御する制御手段と、
を備えたことを特徴とする撮像装置。
【請求項３】
静止画撮影のための複数段のスイッチを有するレリーズ手段を備え、
前記制御手段は、前記レリーズ手段の操作による前記複数段のスイッチのうちの第１段目のスイッチの動作に応じて、前記光学的手ぶれ補正手段をその光学的中立位置近傍に戻すように制御するものであることを特徴とする請求項２記載の撮像装置。
【発明の詳細な説明】
【技術分野】
【０００１】
本発明は、動画と静止画が撮影できる撮像装置に関し、特に、静止画を撮影する際の制御に関するものである。
【背景技術】
【０００２】
従来、静止画撮影モードを有するビデオカメラが存在している。この従来のビデオカメラの静止画撮影においては、１画面の画像情報を増すために、動画の１フレーム分の画像データを繰り返し所定の時間だけ動画記憶用のビデオテープに記録したり、手ぶれの影響を低減するために静止画を撮影するための撮影モードを設定すると撮像素子であるＣＣＤの蓄積時間を制御するいわゆる電子シャッタによって、ＣＣＤの蓄積時間を短くするようになっている。
【０００３】
一方、ＣＣＤを用いて画像を撮影し、得られた画像信号を信号処理して画像情報に変換し、その結果をフラッシュメモリからなるメモリカードやフロッピー（登録商標）ディスクやハードディスクからなる記録手段に記録する、いわゆるディジタルカメラの提案が、各種提供されており、これらの中には、動画を撮影記録することのできるものもある。
【特許文献１】特開平０５−０４１８４３号公報
【特許文献２】特開平０４−３６９９７６号公報
【特許文献３】特開昭６３−０４５９７９号公報
【特許文献４】特開昭６３−０４７７１１号公報
【特許文献５】特開平０３−２１４１３３号公報
【特許文献６】特開平０５−０５６３３７号公報
【特許文献７】特開平０９−０２３３７１号公報
【特許文献８】特開平０９−０８３９４５号公報
【発明の開示】
【発明が解決しようとする課題】
【０００４】
ところで、ビデオカメラや、ディジタルカメラで動画と、静止画を撮影する際には、それぞれの撮影の特徴から、ピント合わせや、露出調整や、手ぶれ補正の最適条件は異なるものとなる。具体的に説明すると、露出調整においては、動画の場合には、電子シャッタを用いて画像の振れを小さくするよりも、ビデオ同期信号によって決まる所定の期間、露光を行ってＣＣＤに蓄積した多少振れた画像の方が、連続した滑らかな動画像を得られるのに対して、静止画では、電子シャッタなどを用いて、画像の振れを小さくした方が望ましい。また、暗い状況の撮影においては、動画撮影においては、ビデオ同期信号の規制により、ビデオ同期信号以上のＣＣＤへの蓄積はできないために、露光不足を補うためにＣＣＤに得られた画像情報を電気的に増幅して適正露光並みの画像情報を得ようとするいわゆるＡＧＣ（オートゲインコントロール）技術を用いて、画像信号を得ようとするが、このように電気的に増幅した信号においては、ノイズもまた増幅されるために、静止画としては適していない。暗い状況での静止画撮影においては、得られる画像信号のＳ／Ｎ比が十分大きくなるように、ＣＣＤの蓄積時間を伸ばして撮影することが望ましい。
【０００５】
このように、動画を撮影する場合と、静止画を撮影する場合では、撮影を行う際の、露出調整に対する望ましい設定の違いがあるにもかかわらず、従来のビデオカメラやいわゆるディジタルカメラでは、いずれかに適した条件でしか撮影条件が選択されなかったために、動画を撮影している途中で静止画を撮影すると、動画か、静止画のいずれかが、良好な画像にならないという問題があった。
【０００６】
本発明は、このような状況のもとでなされたもので、静止画撮影の際に不自然さの伴うことのない、動画と静止画とが撮影できる撮像装置を提供することを目的とするものである。
【課題を解決するための手段】
【０００７】
前記目的を達成するため、本発明では撮像装置を次の（１）〜（３）のとおりに構成する。
【０００８】
（１）動画と静止画が撮影できる撮像装置であって、光学的手ぶれ補正手段と、前記静止画撮影の際に、前記光学的手ぶれ補正手段の動作特性を前記動画撮影のときとは異なるように制御する制御手段と、静止画撮影のための複数段のスイッチを有するレリーズ手段と、を備え、前記制御手段は、前記レリーズ手段の操作による前記複数段のスイッチのうちの第１段目のスイッチの動作に応じて、前記光学的手ぶれ補正手段のハイパスフィルタのカットオフ周波数を高周波側へ切り換え、第２段のスイッチの動作に応じて、前記カットオフ周波数を低周波側に切り換えて、前記光学的手ぶれ補正手段の動作特性を動画撮影のときとは異なるように制御するものであることを特徴とする撮像装置。
【０００９】
（２）動画と静止画が撮影できる撮像装置であって、光学的手ぶれ補正手段と、前記静止画撮影に先だって、前記光学的手ぶれ補正手段をその光学的中立位置近傍に戻すように制御する制御手段と、を備えたことを特徴とする撮像装置。
【００１０】
（３）静止画撮影のための複数段のスイッチを有するレリーズ手段を備え、前記制御手段は、前記レリーズ手段の操作による前記複数段のスイッチのうちの第１段目のスイッチの動作に応じて、前記光学的手ぶれ補正手段をその光学的中立位置近傍に戻すように制御するものであることを特徴とする前記（２）記載の撮像装置。
【発明の効果】
【００１１】
本発明によれば、動画を撮影する際にも、静止画を撮影する際にもそれぞれに最適な撮影条件を与えることができる。また、動画撮影中に静止画撮影を行っても、静止画撮影に伴う不自然さを伴うことなくそれぞれの撮影が可能になる。
【発明を実施するための最良の形態】
【００１２】
以下本発明の実施の形態をビデオカメラの実施例により詳しく説明する。
【実施例１】
【００１３】
図１は、実施例１である“ビデオカメラ”の要部ブロック図である。図２は、実施例１の撮影モード切替えを説明するためのフローチャートである。
【００１４】
図１において、１は撮影レンズ、２はＣＣＤ、３は映像信号処理回路、４はビデオデッキを含む画像信号記録手段、５はマイクロコンピュータ、６はフォーカス駆動回路、７はスイッチボタン、８は第１のバネ、９は第１のプルアップ抵抗、ＳＷ１は第１段目のスイッチ、１０は第２のバネ、１１は第２のプルアップ抵抗、ＳＷ２は第２段目のスイッチであり、スイッチボタン７，第１のバネ８，第１のプルアップ抵抗９，第１段目のスイッチＳＷ１，第２のバネ１０，第２のプルアップ抵抗１１，スイッチＳＷ２は２段式のスイッチを構成している。
【００１５】
撮影レンズ１は、いわゆるリアフォーカスタイプのズームレンズであり、第１の固定レンズ１ｂ，第１の移動レンズである変倍レンズ１ｃ，第２の固定レンズ１ｄ，フォーカスコンペレンズである第２の移動レンズ１ｅとよりなる撮影光学レンズを有し、また、変倍レンズ１ｃやフォーカスレンズ１ｅを駆動するためのアクチュエータと、移動レンズの位置を検出するセンサと、シャッタを兼ねる絞り１ｆを有している。ここで、アクチュエータ及びセンサに関しては、本発明の内容とは、直接関係しないので図１には図示せず説明を省略する。
【００１６】
撮影レンズ１には、その焦点位置に、撮像素子であるＣＣＤ２が位置するように、ＣＣＤ２が固定されたＣＣＤ基板２ａが固定されている。
【００１７】
映像信号処理回路３は、第１の入力端子３ａ，第２の入力端子３ｂ，第１の出力端子３ｃ，第２の出力端子３ｄを有し、第１の入力端子３ａは、前記ＣＣＤ２の出力端子と電気的に接続され、第２の入力端子３ｂは、マイクロコンピュータ５の第１の出力端子５ａと電気的に接続され、第１の出力端子３ｃは、画像信号記録手段４の入力端子４ａに電気的に接続され、第２の出力端子３ｄは、マイクロコンピュータ５の第１の入力端子５ｂに電気的に接続されている。
【００１８】
映像信号処理回路３は、第１の入力端子３ａを介して、ＣＣＤ２に蓄積された画像信号を逐次読み出し、第１の出力端子３ｃを介して映像信号として、画像信号記録手段４に出力するとともに、マイクロコンピュータ５によって第２の入力端子３ｂを介して指定された画素範囲（測距エリア）内のピント情報を、第２の出力端子３ｄを介して、マイクロコンピュータ５に出力する。
【００１９】
画像信号記録手段４は、たとえば、ビデオデッキとビデオテープやメモリカードスロットとメモリカードを含み、入力端子４ａと、出力端子（不図示）を有している。画像信号記録手段４の入力端子４ａは、映像信号処理回路３の第１の出力端子３ｃに電気的に接続され、画像信号記録手段４は入力端子４ａに入力される映像信号を記録する。
【００２０】
マイクロコンピュータ５は周知のマイクロコンピュータであり、第１の出力端子５ａ、第１の入力端子５ｂ、第２の出力端子５ｃ、第２，第３の入力端子５ｄ，５ｅを有している。
【００２１】
マイクロコンピュータ５の第１の出力端子５ａは、前記映像信号処理回路３の第２の入力端子３ｂと電気的に接続され、第１の入力端子５ｂは、前記、映像信号処理回路３の第２の出力端子３ｄと電気的に接続され、第２の出力端子５ｃは、フォーカス駆動回路６の第１の入力端子６ａと電気的に接続され、第２の入力端子５ｄは第１段目の電気スイッチＳＷ１に電気的に接続され、第３の入力端子５ｅは、第２段目の電気スイッチＳＷ２に電気的に接続されている。
【００２２】
マイクロコンピュータ５は、第２，第３の入力端子５ｄ，５ｅの状態に応じて、映像信号処理回路３に第１の出力端子５ａを介して測距エリアのサイズを指定し、第１の入力端子５ｂを介して映像信号処理回路３から、測距エリア内のピント情報を入力し、その情報をもとに第２の出力端子５ｃからフォーカス駆動回路６にフォーカス駆動命令を出力し、フォーカス駆動回路６がフォーカスコンペレンズ１ｅを駆動するモータ（不図示）を駆動することによって、ピント合わせが行われる。
【００２３】
フォーカス駆動回路６は、周知のモータ駆動回路であり、入力端子６ａと出力端子６ｂを有し、入力端子はマイクロコンピュータ５の第２の出力端子５ｃに電気的に接続され、出力端子６ｂは、フォーカスコンペレンズ１ｅを駆動する不図示のモータに接続されている。
【００２４】
フォーカス駆動回路６は入力端子に入力されるマイクロコンピュータ５からの駆動命令に応じて不図示のモータを駆動し、フォーカスコンペレンズ１ｅを光軸方向に移動させる。
【００２５】
スイッチボタン７、第１，第２のバネ８，１０、第１段目のスイッチＳＷ１，第２段目のスイッチＳＷ２は、２段式の静止画を撮影するためのレリーズスイッチを形成しており、第１段目，第２段目のスイッチＳＷ１，ＳＷ２の１端は接地されており、他端は、プルアップ抵抗９，１１によってそれぞれプルアップされるとともに、それぞれ第１段目のスイッチＳＷ１はマイクロコンピュータ５の第２の入力端子５ｄと、第２段目のスイッチＳＷ２はマイクロコンピュータ５の第３の入力端子５ｅと電気的に接続されている。
【００２６】
スイッチボタン７が押されスイッチＳＷ１がオンされると、マイクロコンピュータ５の第２の入力端子５ｄはハイ状態からロー状態に変化し、マイクロコンピュータ５はそれを検出して、測距エリアを狭める命令を映像信号処理回路３に出力し、狭い測距エリアに応じたピント合わせが行われる。
【００２７】
次に、スイッチボタン７がさらに押し込まれて、第２段目のスイッチＳＷ２がオンされると、マイクロコンピュータ５の第３の入力端子５ｅはハイ状態からロー状態に変化し、マイクロコンピュータ５はそれを検出して、静止画の撮影と記録が行われる。
【００２８】
次に、本実施例のビデオカメラの静止画撮影に係わる動作を図２に示すフローチャートに従って説明する。
【００２９】
ビデオカメラの電源がオンされると（Ｓ１００）、マイクロコンピュータ５は、ビデオ撮影スイッチＳＷ０（図１には不図示）の状態を検出し（Ｓ１０１）、スイッチＳＷ０がオンならば動画の撮影と記録を行い（Ｓ１０２）、その後に静止画の撮影を行うか否かの判定に進む。
【００３０】
ビデオ撮影スイッチＳＷ０がオフなら動画の撮影は行わずに、静止画の撮影を行うか否かの判定に進む。マイクロコンピュータ５は、次に、第２の入力端子５ｄの状態を検出して、スイッチＳＷ１がオンかオフかを判定（Ｓ１０３）する。
【００３１】
マイクロコンピュータ５は、スイッチＳＷ１がオンではないと判定すると、電源がオフされていないかを判定し（Ｓ１０８）、オフされていれば撮影を終了し（Ｓ１０９）、また、オフされていなければ、ビデオ撮影スイッチＳＷ０の状態を判定するステップ（Ｓ１０１）に戻る。
【００３２】
また、マイクロコンピュータ５は、ステップ１０３において、スイッチＳＷ１がオンであると判定すると、映像信号処理回路３への出力端子である第１の出力端子５ａの状態を変化させ、測距エリアを縮小し（Ｓ１０４）、縮小した測距エリア内の被写体にピントが合うようにフォーカスコンペレンズ１ｅを駆動する。
【００３３】
次にマイクロコンピュータ５は第３の入力端子５ｅの状態を検出して、スイッチＳＷ２がオンかオフかを判定（Ｓ１０５）する。
【００３４】
マイクロコンピュータ５は、スイッチＳＷ２がオンではないと判定すると、電源がオフされていないかを判定し（Ｓ１０８）、オフされていれば撮影を終了し（Ｓ１０９）、またオフされていなければ、ビデオ撮影スイッチＳＷ０の状態を判定するステップ（Ｓ１０１）に戻る。
【００３５】
また、マイクロコンピュータ５は、ステップ１０５において、スイッチＳＷ２がオンであると判定すると、静止画を撮影、記録し（Ｓ１０６）、測距エリアを元の大きさに拡大した後（Ｓ１０７）、電源がオフされていないかを判定し（Ｓ１０８）、オフされていれば撮影を終了し（Ｓ１０９）、またオフされていなければ、ビデオ撮影スイッチＳＷ０の状態を判定するステップ（Ｓ１０１）に戻る。
【００３６】
このようにして、本実施例においては、静止画を撮影するための２段式のレリーズスイッチが第１段目まで押されるとオートフォーカスの測距エリアが撮影モード切替え手段であるマイクロコンピュータによって切り替えられ、静止画撮影は静止画に適した比較的狭い測距エリア内にピントを合わせるオートフォーカスが行われ、レリーズスイッチが第２段目まで押されると静止画撮影が行われるため、静止画撮影のためのレリーズスイッチが押されていない状況においては、動画に適したオートフォーカスの条件で動画撮影が行われ、レリーズスイッチが操作されると静止画に適したオートフォーカスの条件で静止画撮影を行うことができる。
【実施例２】
【００３７】
実施例１は、静止画撮影スイッチ手段であるレリーズスイッチが操作されるのに連動して、モード切替え手段であるマイクロコンピュータが、オートフォーカスの動作モードを切り替えるものであったが、静止画撮影スイッチ手段であるレリーズスイッチの操作に連動して、露出モードや動画の記録方式を切り替えることもできる。
【００３８】
次に、静止画撮影スイッチ手段であるレリーズスイッチの操作に連動して、露出モードが切り替わり、静止画撮影時には被写体の照度に応じてストロボ発光や長時間露光を行え、動画の記録映像としては不自然なものとなるそれらの映像を静止画としては記録するが動画としては記録しない例を実施例２として説明する。
【００３９】
図３は、実施例２の要部ブロック図であり、図４は、実施例２の撮影モード切替えを説明するためのフローチャートである。
【００４０】
図３において、実施例１と同一の構成については同一の符号を付している。
【００４１】
図３において、１は撮影レンズ、２０はＣＣＤ、１２はオートゲインコントロール（自動利得調整）回路、１３は静止画記録手段、１４は絞り制御回路、１５はストロボ制御回路、１６はストロボ、３０は映像信号処理回路、４はビデオデッキを含む画像信号記録手段、５０はマイクロコンピュータ、７はスイッチボタン、８は第１のバネ、９は第１のプルアップ抵抗、ＳＷ１は第１段目のスイッチ、１０は第２のバネ、１１は第２のプルアップ抵抗、ＳＷ２は第２段目のスイッチであり、スイッチボタン７，第１のバネ８，第１のプルアップ抵抗９，第１段目のスイッチＳＷ１，第２のバネ１０，第２のプルアップ抵抗１１，第２段目のスイッチＳＷ２は２段式のスイッチを構成している。
【００４２】
撮影レンズ１はいわゆるリアフォーカスタイプのズームレンズであり、第１の固定レンズ１ｂ，第１の移動レンズである変倍レンズ１ｃ，第２の固定レンズ１ｄ，フォーカスコンペレンズである第２の移動レンズ１ｅとよりなる撮影光学レンズを有し、また、変倍レンズ１ｃやフォーカスレンズ１ｅを駆動するためのアクチュエータと、移動レンズの位置を検出するセンサと、シャッタを兼ねる絞り１ｆを有している。ここで、アクチュエータ及びセンサに関しては、本発明の内容とは、直接関係しないので図３には図示せず説明を省略する。
【００４３】
撮影レンズ１には、その焦点位置に、撮像素子であるＣＣＤ２０が位置するように、ＣＣＤ２０が固定されたＣＣＤ基板２０ａが固定されている。また、ＣＣＤ２０には、ＣＣＤ２０に蓄積された電荷をクリアするための入力端子２０ｄと、出力端子２０ｃを有している。
【００４４】
オートゲインコントロール回路１２（以下ＡＧＣ回路と記す）には、第１，第２の入力端子１２ａ，１２ｂと、出力端子１２ｃが設けられており、第１の入力端子１２ａにＣＣＤ２０から入力される映像信号を、第２の入力端子１２ｂにマイクロコンピュータ５０から入力される増幅度信号に応じたゲインで増幅し、その結果を出力端子１２ｃから出力する。
【００４５】
映像信号処理回路３０は、第１の入力端子３０ａ，第２の入力端子３０ｂ，第１の出力端子３０ｃ，第２の出力端子３０ｄを有し、第１の入力端子３０ａは、前記ＡＧＣ回路１２の出力端子１２ｃと電気的に接続され、第２の入力端子３０ｂは、マイクロコンピュータ５０の第１の出力端子５０ａと電気的に接続され、第１の出力端子３０ｃは、画像信号記録手段４の入力端子４ａに電気的に接続され、第２の出力端子３０ｄは、マイクロコンピュータ５０の第１の入力端子５０ｂに電気的に接続されている。
【００４６】
映像信号処理回路３０は、第１の入力端子３０ａを介して、ＣＣＤ２０に蓄積された画像信号を所定のゲインで増幅した結果を、ＡＧＣ回路１２から、逐次読み出し、第１の出力端子３０ｃを介して映像信号として、画像信号記録手段４に出力するとともに、マイクロコンピュータ５０によって第２の入力端子３０ｂを介して指定された画素範囲（測光エリア）内の被写体照度情報を、第２の出力端子３０ｄを介して、マイクロコンピュータ５０に出力する。
【００４７】
画像信号記録手段４は、たとえば、ビデオデッキとビデオテープやメモリカードスロットとメモリカードを含み、第１の入力端子４ａと、第２の入力端子４ｂと、出力端子（不図示）を有している。画像信号記録手段４の第１の入力端子４ａは、映像信号処理回路３０の第１の出力端子３０ｃに電気的に接続され、画像信号記録手段４の第２の入力端子４ｂは、マイクロコンピュータ５０の第７の出力端子５０ｋに電気的に接続され、画像信号記録手段４は第１の入力端子４ａまたは、第２の入力端子４ｂに入力される映像信号を記録する。
【００４８】
マイクロコンピュータ５０は周知のマイクロコンピュータであり、第１の出力端子５０ａ，第１の入力端子５０ｂ，第２の出力端子５０ｃ，第２の入力端子５０ｄ，第３の入力端子５０ｅ，第３の出力端子５０ｆ，第４の出力端子５０ｇ，第５の出力端子５０ｈ，第６の出力端子５０ｉを有している。
【００４９】
マイクロコンピュータ５０の第１の出力端子５０ａは、映像信号処理回路３０の第２の入力端子３０ｂと電気的に接続され、第１の入力端子５０ｂは、映像信号処理回路３０の第２の出力端子３０ｄと電気的に接続され、第２の出力端子５０ｃは、絞り制御回路１４の入力端子と電気的に接続され、第２の入力端子５０ｄは第１段目の電気スイッチＳＷ１に電気的に接続され、第３の入力端子５０ｅは、第２段目の電気スイッチＳＷ２に電気的に接続され、第３の出力端子５０ｆは、ＣＣＤ２０の入力端子２０ｄに電気的に接続され、第４の出力端子５０ｇは、ストロボ制御回路１５の入力端子に電気的に接続され、第５の出力端子５０ｈは、ＡＧＣ回路１２の第２の入力端子１２ｂに電気的に接続され、第６の出力端子５０ｉは、静止画記録手段１３の入力端子に電気的に接続されている。第４の入力端子５０ｊは、映像信号処理回路３０の第１の出力端子３０ｃに電気的に接続されている。第７の出力端子５０ｋは、画像信号記録手段４の第２の入力端子４ｂに電気的に接続されている。
【００５０】
マイクロコンピュータ５０は、第２，第３の入力端子５０ｄ，５０ｅの状態に応じて、映像信号処理回路３０に第１の出力端子５０ａを介して測光エリアのサイズを指定し、第１の入力端子５０ｂを介して映像信号処理回路３０から、測光エリア内の被写体照度情報を入力し、その情報をもとに第２の出力端子５ｃから絞り制御回路１４に絞り駆動命令を出力し、絞り制御回路１４が絞り羽根を駆動するモータ（不図示）を駆動することによって、露出調整が行われる。
【００５１】
静止画記録手段１３は、入力端子と出力端子（不図示）を有する、たとえばフラッシュメモリを含むデータ記録手段であり、入力端子は、マイクロコンピュータ５０の第６の出力端子５０ｉに電気的に接続され、マイクロコンピュータ５０が第４の入力端子５０ｊを介して映像信号処理回路３０から入力した映像信号をデータ化した静止画の情報を、マイクロコンピュータ５０から入力し、それを記憶する。
【００５２】
絞り制御回路１４は、周知の絞り羽根駆動用のモータ駆動回路であり、入力端子と出力端子を有し、入力端子はマイクロコンピュータ５０の第２の出力端子５０ｃに電気的に接続され、出力端子は、絞り羽根１ｆを駆動する不図示のモータに接続されている。
【００５３】
絞り制御回路１４は入力端子に入力されるマイクロコンピュータ５０からの駆動命令に応じて不図示のモータを駆動し、絞り羽根１ｆを被写体の照度に応じて、開閉させる。
【００５４】
ストロボ制御回路１５は、入力端子と、出力端子を有し、入力端子はマイクロコンピュータ５０の第４の出力端子５０ｇに電気的に接続され、出力端子は、ストロボ１６の入力端子に接続されている。
【００５５】
ストロボ制御回路１５は、その入力端子からマイクロコンピュータ５０によるストロボ発光命令を受けると、ストロボ１６を発光させる。
【００５６】
スイッチボタン７，第１のバネ８，第２のバネ１０，第１段目のスイッチＳＷ１，第２段目のスイッチＳＷ２は、２段式の静止画を撮影するためのレリーズスイッチを形成しており、第１段目，第２段目のスイッチＳＷ１，ＳＷ２の１端は接地されており、他端は、プルアップ抵抗９，１１によってそれぞれプルアップされるとともに、それぞれ第１段目のスイッチＳＷ１はマイクロコンピュータ５０の第２の入力端子５０ｄと、第２段目のスイッチＳＷ２はマイクロコンピュータ５０の第３の入力端子５０ｅと電気的に接続されている。
【００５７】
スイッチボタン７が押されスイッチＳＷ１がオンされると、マイクロコンピュータ５０の第２の入力端子５０ｄはハイ状態からロー状態に変化し、マイクロコンピュータ５０はそれを検出して、測光エリアを狭める命令を映像信号処理回路３０に出力し、狭い測光エリアに応じた露出調整が行われる。
【００５８】
次に、スイッチボタン７がさらに押し込まれて、第２段目のスイッチＳＷ２がオンされると、マイクロコンピュータ５０の第３の入力端子５ｅはハイ状態からロー状態に変化し、マイクロコンピュータ５０はそれを検出して、静止画の撮影と記録が行われる。
【００５９】
次に、ビデオカメラの静止画撮影に係わる動作を図４に示すフローチャートに従って説明する。
【００６０】
ビデオカメラの電源がオンされると（Ｓ２００）、マイクロコンピュータ５０は、ビデオ撮影スイッチＳＷ０（図３には不図示）の状態を検出し（Ｓ２０１）、スイッチＳＷ０がオンならば動画の撮影と記録を行い（Ｓ２０２）、その後に静止画の撮影を行うか否かの判定に進む。
【００６１】
ビデオ撮影スイッチＳＷ０がオフなら動画の撮影は行わずに、静止画の撮影を行うか否かの判定に進む。
【００６２】
マイクロコンピュータ５０は、次に、第２の入力端子５０ｄの状態を検出して、スイッチＳＷ１がオンかオフかを判定（Ｓ２０３）する。
【００６３】
マイクロコンピュータ５０は、スイッチＳＷ１がオンではないと判定すると、電源がオフされていないかを判定し（Ｓ２１８）、オフされていれば撮影を終了し（Ｓ２１９）、また、オフされていなければ、ビデオ撮影スイッチＳＷ０の状態を判定するステップ（Ｓ２０１）に戻る。
【００６４】
また、マイクロコンピュータ５０は、ステップ２０３において、スイッチＳＷ１がオンであると判定すると、映像信号処理回路３０への出力端子である第１の出力端子５０ａの状態を変化させ、測光エリアを縮小し（Ｓ２０４）、測光エリア内の被写体照度を測光し（Ｓ２０５）、測光エリア内の被写体にＡＧＣをオフした状態（ゲイン１）で、適正露光になる露光時間と、絞り値を算出する（Ｓ２０６）。
【００６５】
次にマイクロコンピュータ５０は第３の入力端子５０ｅの状態を検出して、スイッチＳＷ２がオンかオフかを判定する（Ｓ２０７）する。
【００６６】
マイクロコンピュータ５０は、スイッチＳＷ２がオンではないと判定すると、電源がオフされていないかを判定し（Ｓ２１８）、オフされていれば撮影を終了し（Ｓ２１９）、また、オフされていなければ、ビデオ撮影スイッチＳＷ０の状態を判定するステップ（Ｓ２０１）に戻る。
【００６７】
また、マイクロコンピュータ５０は、ステップ２０７において、スイッチＳＷ２がオンであると判定すると、まず、動画として１フィールド分の映像信号を映像信号処理回路３０から、第４の入力端子５０ｊを介して読み込み、それを記憶する（Ｓ２０８）。次にマイクロコンピュータ５０は、ステップ２０８で記憶した信号を動画の映像信号として、第７の出力端子５０ｋを介して、画像信号記録手段４の第２の入力端子４ｂに出力し、画像信号記録手段４は、この信号を、静止画撮影が行われる間の動画信号として繰り返し記録する（Ｓ２０９）。
【００６８】
次に、マイクロコンピュータ５０は、静止画撮影を行うためにＡＧＣ回路１２のゲインを１に固定し（Ｓ２１０）、ステップ２０６で算出した適正露出時間と適正絞り値の演算結果より、ストロボ発光が必要かどうかを判定し（Ｓ２１１）、ストロボ発光が必要な場合には、ストロボ発光を行って静止画撮影を行い（Ｓ２１２）、ストロボ発光が必要ないと判定された場合には、第３の出力端子５０ｆを介してＣＣＤ２０をクリアし（Ｓ２１３）、静止画撮影が行われる（Ｓ２１４）。この際、ＣＣＤ２０への蓄積は、動画のビデオ撮影を行う際に基準となるビデオ同期信号の周期によって決定される動画撮影時の蓄積時間よりも長い期間の露光も可能とされる。
【００６９】
次に、マイクロコンピュータ５０は、ＣＣＤ２０から１画面分の画像信号を読み出し（Ｓ２１５）、読み出した画像信号を画像データに変換して、静止画記録手段１３に画像データを記憶させ（Ｓ２１６）、測光エリアの大きさや、ＡＧＣ回路１２のゲインや、動画撮影の撮影状態を元の状態に戻し（Ｓ２１７）、電源がオフされていないかを判定し（Ｓ２１８）、オフされていれば撮影を終了し（Ｓ２１９）、また、オフされていなければ、ビデオ撮影スイッチＳＷ０の状態を判定するステップ（Ｓ２０１）に戻る。
【００７０】
このようにして、本実施例においては、静止画を撮影するための２段式のレリーズスイッチが第１段目まで押されると自動露光調整の測光エリアが撮影モード切替え手段であるマイクロコンピュータ５０によって切り替えられ、静止画撮影は静止画に適した比較的狭い測光エリア内に露光を合わせる露光調整が行われ、レリーズスイッチが第２段目まで押されると静止画撮影が行われるため、静止画撮影のためのレリーズスイッチが押されていない状況においては、動画に適した露光の条件で動画撮影が行われ、レリーズスイッチが操作されると静止画に適した露光の条件で静止画撮影を行うことができる。
【００７１】
また、本実施例においては、静止画を撮影する際には、ＡＧＣ回路のゲインを下げ、長時間の露光やストロボの発光によって適正なＣＣＤの電荷蓄積を行っているために、Ｓ／Ｎ比の優れた、美しい静止画を得ることができる。
【００７２】
さらに、本実施例においては、静止画撮影中の動画の映像を、静止画撮影が行われる直前の画像を繰り返すようにしているために、ストロボ発光などを行っても、動画には不自然な映像が記録されることがない。
【００７３】
さらにまた、本実施例においては、静止画の画像データを記憶する手段を、動画を記録する記録手段とは別に設けたため、静止画撮影が終了すると直ちに動画の撮影状態を元に戻すことができ、また、静止画の画像データはパーソナルコンピュータで直接加工できる形式を持たせたり、パーソナルコンピュータのインターフェースに合わせた、たとえば、ＰＣＭＣＩＡフラッシュメモリカード等を使用して、操作性を高めることもできる。
【実施例３】
【００７４】
以上説明した実施例１，２においては、オートフォーカスと、露出制御に対して本発明を適用した例を説明したが、本発明を、手ぶれ補正の特性を切り替える例に適用することもできる。
【００７５】
手ぶれ補正の場合、動画に対して補正をする場合は、連続した手ぶれを補正し続けるために常に中心に補正素子が戻ろうとするように制御して、補正素子が補正範囲の端に張り付くのを防止しなければならない反面、多少の補正のこりがあっても、感覚的に許される範囲であれば、十分に手ぶれが補正されているように感じるという特性があり、また、静止画を撮影する際には、露光時間内のみ手ぶれ補正を行えばよいために中心に戻す制御は必要ない反面、補正のこりを許容錯乱円と同等のレベルにしないと、十分な補正効果とはいえないという特性がある。
【００７６】
そこで、動画撮影時と静止画撮影時の手ぶれ補正の特性を切り替える例を、実施例３として説明する。
【００７７】
図５は実施例である“ビデオカメラ”の要部ブロック図であり、図６は本実施例の撮影モード切り替えを説明するためのフローチャートである。
【００７８】
図５において、１は撮影レンズ、２はＣＣＤ、３は映像信号処理回路、４はビデオデッキを含む画像信号記録手段、５００はマイクロコンピュータ、１７は手ぶれ補正制御回路、７はスイッチボタン、８は第１のバネ、９は第１のプルアップ抵抗、ＳＷ１は第１段目のスイッチ、１０は第２のバネ、１１は第２のプルアップ抵抗、ＳＷ２は第２段目のスイッチであり、スイッチボタン７，第１のバネ８，第１のプルアップ抵抗９，第１段目のスイッチＳＷ１，第２のバネ１０，第２のプルアップ抵抗１１，第２段目のスイッチＳＷ２は２段式のスイッチを構成している。
【００７９】
撮影レンズ１はいわゆるリアフォーカスタイプのズームレンズであり、第１の固定レンズ１ｂ，第１の移動レンズである変倍レンズ１ｃ，第２の固定レンズ１ｄ，フォーカスコンペレンズである第２の移動レンズ１ｅとよりなる撮影光学レンズと手ぶれ補正を行うための可変頂角プリズム１ｇを有し、また、変倍レンズ１ｃやフォーカスレンズ１ｅや可変頂角プリズム１ｇを駆動するためのアクチュエータと、移動レンズ１ｃ，１ｅの位置を検出するセンサと、シャッタを兼ねる絞り１ｆを有している。ここで、アクチュエータ及びセンサに関しては、可変頂角プリズム駆動用のアクチュエータ１ｈ以外は、本発明の内容とは、直接関係しないので図５には図示せず説明を省略する。
【００８０】
撮影レンズ１には、その焦点位置に、撮像素子であるＣＣＤ２が位置するように、ＣＣＤ２が固定されたＣＣＤ基板２ａが固定されている。
【００８１】
映像信号処理回路３は、第１の入力端子３ａ，第２の入力端子３ｂ，第１の出力端子３ｃを有し、第１の入力端子３ａは、前記ＣＣＤ２の出力端子と電気的に接続され、第２の入力端子３ｂは、マイクロコンピュータ５００の第１の出力端子５００ａと電気的に接続され、第１の出力端子３ｃは、画像信号記録手段４の入力端子４ａに電気的に接続されている。
【００８２】
映像信号処理回路３は、第１の入力端子３ａを介して、ＣＣＤ２に蓄積された画像信号を逐次読み出し、第１の出力端子３ｃを介して映像信号として、画像信号記録手段４に出力するとともに、マイクロコンピュータ５００によって第２の入力端子３ｂを介して指定された画素範囲（測距エリア）内のピント情報を、第２の出力端子３ｄを介して、マイクロコンピュータ５００に出力する。
【００８３】
画像信号記録手段４は、たとえば、ビデオデッキとビデオテープやメモリカードスロットとメモリカードを含み、入力端子４ａと、出力端子（不図示）を有している。画像信号記録手段４の入力端子４ａは、映像信号処理回路３の第１の出力端子３ｃに電気的に接続され、画像信号記録手段４は入力端子４ａに入力される映像信号を記録する。
【００８４】
マイクロコンピュータ５００は周知のマイクロコンピュータであり、第１の出力端子５００ａ，第１の入力端子５００ｂ，第２の出力端子５００ｃ，第２の入力端子５００ｄ，第３の入力端子５００ｅを有している。
【００８５】
マイクロコンピュータ５００の第１の出力端子５００ａは、映像信号処理回路３の第２の入力端子３ｂと電気的に接続され、第１の入力端子５００ｂは、映像信号処理回路３の第２の出力端子３ｄと電気的に接続され、第２の出力端子５００ｃは、手ぶれ補正制御回路１７の第１の入力端子１７ａと電気的に接続され、第２の入力端子５００ｄは第１段目の電気スイッチＳＷ１に電気的に接続され、第３の入力端子５００ｅは、第２段目の電気スイッチＳＷ２に電気的に接続されている。
【００８６】
マイクロコンピュータ５００は、映像信号処理回路３に第１の出力端子５００ａを介して測距エリアのサイズを指定し、第１の入力端子５００ｂを介して映像信号処理回路３から、測距エリア内のピント情報を入力し、その情報をもとに不図示のフォーカス駆動回路にフォーカス駆動命令を出力し、フォーカス駆動回路がフォーカスコンペレンズ１ｅを駆動するモータ（不図示）を駆動することによって、ピント合わせが行われる。
【００８７】
手ぶれ補正制御回路１７は、振動センサ，積分回路，ハイパスフィルタ（以下ＨＰＦと記す），ドライブ回路を含み、振動を振動センサで検出し、その振動でＣＣＤ２上の像が揺れないように光学的手ぶれ補正素子である可変頂角プリズム１ｇを駆動するように手ぶれ補正アクチュエータ１ｈを制御する。また、手ぶれ補正制御回路１７は、入力端子１７ａに入力される信号によって、検出した振動に対して、手ぶれ補正用アクチュエータ１ｈを駆動する周波数特性を変化させる。
【００８８】
スイッチボタン７，第１のバネ８，第２のバネ１０，第１段目のスイッチＳＷ１，第２段目のスイッチＳＷ２は、２段式の静止画を撮影するためのレリーズスイッチを形成しており、第１段目，第２段目のスイッチＳＷ１，ＳＷ２の１端は接地されており、他端は、プルアップ抵抗９，１１によってそれぞれプルアップされるとともに、それぞれ第１段目のスイッチＳＷ１はマイクロコンピュータ５００の第２の入力端子５００ｄと、第２段目のスイッチＳＷ２はマイクロコンピュータ５００の第３の入力端子５００ｅと電気的に接続されている。
【００８９】
スイッチボタン７が押されスイッチＳＷ１がオンされると、マイクロコンピュータ５００の第２の入力端子５００ｄはハイ状態からロー状態に変化し、マイクロコンピュータ５００はそれを検出して、手ぶれ補正制御回路１７の周波数特性を強く中心位置に戻ろうとする特性に切り替える命令を手ぶれ補正制御回路１７に出力し、手ぶれ補正制御回路１７はＨＰＦの周波数特性のカットオフ周波数を高周波側にシフトする。このことによって、手ぶれ補正素子である可変頂角プリズム１ｇは、ほぼ光学的中立位置に位置する。
【００９０】
次に、スイッチボタン７がさらに押し込まれて、第２段目のスイッチＳＷ２がオンされると、マイクロコンピュータ５００の第３の入力端子５００ｅはハイ状態からロー状態に変化し、マイクロコンピュータ５００はそれを検出して、手ぶれ補正制御回路１７の周波数特性を全ての周波数帯域で手ぶれ補正ができるような特性に切り替える命令を手ぶれ補正制御回路１７に出力し、手ぶれ補正制御回路１７はＨＰＦの周波数特性のカットオフ周波数を低周波側にシフトするとともに、静止画の撮影と記録が行われる。
【００９１】
次に、ビデオカメラの静止画撮影に係わる動作を図６に示すフローチャートに従って説明する。
【００９２】
ビデオカメラの電源がオンされると（Ｓ３００）、マイクロコンピュータ５００は、ビデオ撮影スイッチＳＷ０（図５には不図示）の状態を検出し（Ｓ３０１）、スイッチＳＷ０がオンならば動画の撮影と記録を行い（Ｓ３０２）、その後に静止画の撮影を行うか否かの判定に進む。
【００９３】
ビデオ撮影スイッチＳＷ０がオフなら動画の撮影は行わずに、静止画の撮影を行うか否かの判定に進む。マイクロコンピュータ５００は、次に、第２の入力端子５００ｄの状態を検出して、スイッチＳＷ１がオンかオフかを判定（Ｓ３０３）する。
【００９４】
マイクロコンピュータ５００は、スイッチＳＷ１がオンではないと判定すると、電源がオフされていないかを判定し（Ｓ３０９）、オフされていれば撮影を終了し（Ｓ３１０）、また、オフされていなければ、ビデオ撮影スイッチＳＷ０の状態を判定するステップ（Ｓ３０１）に戻る。
【００９５】
また、マイクロコンピュータ５００は、ステップ３０３において、スイッチＳＷ１がオンであると判定すると、手ぶれ補正制御回路１７への出力端子である第１の出力端子５００ｃを介して命令を送り、手ぶれ補正制御回路１７の特性を、ＨＰＦのカットオフ周波数を高周波側へシフトさせることによって手ぶれ補正手段である可変頂角プリズムが光学的に中立な位置に位置しようとする特性に切り替える（Ｓ３０４）。
【００９６】
次にマイクロコンピュータ５００は第３の入力端子５００ｅの状態を検出して、スイッチＳＷ２がオンかオフかを判定（Ｓ３０５）する。
【００９７】
マイクロコンピュータ５００は、スイッチＳＷ２がオンではないと判定すると、電源がオフされていないかを判定し（Ｓ３０９）、オフされていれば撮影を終了し（Ｓ３１０）、またオフされていなければ、ビデオ撮影スイッチＳＷ０の状態を判定するステップ（Ｓ３０１）に戻る。
【００９８】
また、マイクロコンピュータ５００は、ステップ３０５において、スイッチＳＷ２がオンであると判定すると、手ぶれ補正制御回路１７への出力端子である第１の出力端子５００ｃを介して命令を送り、手ぶれ補正制御回路１７の特性を、ＨＰＦのカットオフ周波数を低周波側へシフトさせることによって手ぶれ補正が広い周波数範囲で有効になる特性に切り替え（Ｓ３０６）、静止画を撮影，記録し（Ｓ３０７）、手ぶれ補正制御回路１７の周波数特性を通常の値に戻し（Ｓ３０８）、電源がオフされていないかを判定し（Ｓ３０９）、オフされていれば撮影を終了し（Ｓ３１０）、また、オフされていなければ、ビデオ撮影スイッチＳＷ０の状態を判定するステップ（Ｓ３０１）に戻る。
【００９９】
このようにして、本実施例においては、静止画を撮影するための２段式のレリーズスイッチが第１段目まで押されると、手ぶれ補正手段である可変頂角プリズムが光学的中心位置（補正零位置）近傍に位置し、色収差や、像面の倒れの少ない、静止画撮影に適した状況が設定され、レリーズスイッチが第２段目まで押されると手ぶれ補正制御が広い周波数帯域の手ぶれに対応できる周波数特性に切り替わって静止画撮影が行われ、静止画撮影終了後に動画に対して手ぶれ補正を行うのに適した周波数特性に戻るため、静止画撮影のためのレリーズスイッチが押されていない状況においては、動画に適した手ぶれ補正の条件で動画撮影が行われ補正範囲の端に補正手段が突き当たって手ぶれ補正ができなくなるようなことを防止でき、かつ、レリーズスイッチが操作されると静止画に適した光学的中立位置近傍で広い周波数帯域に対応した手ぶれ補正が行われるために、色収差などの光学的悪影響がなく、しかも正確な手ぶれ補正を行うことができる。
【図面の簡単な説明】
【０１００】
【図１】実施例１の要部の構成を示す図
【図２】実施例１の動作を示すフローチャート
【図３】実施例２の要部の構成を示す図
【図４】実施例２の動作を示すフローチャート
【図５】実施例３の要部の構成を示す図
【図６】実施例３の動作を示すフローチャート
【符号の説明】
【０１０１】
１  撮影レンズ
３  映像信号処理回路
５  ＭＰＵ
【図１】
2008289190.tif 000003
【図２】
2008289190.tif 000004
【図３】
2008289190.tif 000005
【図４】
2008289190.tif 000006
【図５】
2008289190.tif 000007
【図６】
2008289190.tif 000008
【手続補正書】
【提出日】平成20年9月17日(2008.9.17)
【手続補正１】
【補正対象書類名】特許請求の範囲
【補正対象項目名】全文
【補正方法】変更
【補正の内容】
【特許請求の範囲】
【請求項１】
動画と静止画が撮影できる撮像装置であって、
光学的手ぶれ補正手段と、
検出した振動に対する前記補正手段の動作の周波数特性を制御する制御手段と、
静止画撮影のための複数段のスイッチを有するレリーズ手段と、
を備え、
前記制御手段は、前記レリーズ手段の操作による前記複数段のスイッチのうちの第１段目のスイッチの動作に応じて、前記補正手段の動作の周波数特性を動画撮影の際におけるカットオフ周波数より高周波側へ切り換え、第２段のスイッチの動作に応じて、前記カットオフ周波数を低周波側に切り換えて、前記光学的手ぶれ補正手段の動作の周波数特性を動画撮影のときとは異なるように制御するものであることを特徴とする撮像装置。
【請求項２】
動画と静止画が撮影できる撮像装置であって、
光学的手ぶれ補正手段と、
前記静止画撮影に先だって、前記動画撮影のときよりも、前記光学的手ぶれ補正手段をその光学的中立位置近傍に戻すように制御する制御手段と、
を備えたことを特徴とする撮像装置。
【請求項３】
静止画撮影のための複数段のスイッチを有するレリーズ手段を備え、
前記制御手段は、前記レリーズ手段の操作による前記複数段のスイッチのうちの第１段目のスイッチの動作に応じて、前記光学的手ぶれ補正手段をその光学的中立位置近傍に戻すように制御するものであることを特徴とする請求項２記載の撮像装置。
【手続補正２】
【補正対象書類名】明細書
【補正対象項目名】０００４
【補正方法】変更
【補正の内容】
【０００４】
ところで、ビデオカメラや、ディジタルカメラで動画と、静止画を撮影する際には、それぞれの撮影の特徴から、手ぶれ補正の最適条件は異なるものとなる。具体的に説明すると、露出調整においては、動画の場合には、電子シャッタを用いて画像の振れを小さくするよりも、ビデオ同期信号によって決まる所定の期間、露光を行ってＣＣＤに蓄積した多少振れた画像の方が、連続した滑らかな動画像を得られるのに対して、静止画では、電子シャッタなどを用いて、画像の振れを小さくした方が望ましい。
【手続補正３】
【補正対象書類名】明細書
【補正対象項目名】０００８
【補正方法】変更
【補正の内容】
【０００８】
（１）動画と静止画が撮影できる撮像装置であって、光学的手ぶれ補正手段と、検出した振動に対する前記補正手段の動作の周波数特性を制御する制御手段と、静止画撮影のための複数段のスイッチを有するレリーズ手段と、を備え、前記制御手段は、前記レリーズ手段の操作による前記複数段のスイッチのうちの第１段目のスイッチの動作に応じて、前記補正手段の動作の周波数特性を動画撮影の際におけるカットオフ周波数より高周波側へ切り換え、第２段のスイッチの動作に応じて、前記カットオフ周波数を低周波側に切り換えて、前記光学的手ぶれ補正手段の動作の周波数特性を動画撮影のときとは異なるように制御するものであることを特徴とする撮像装置。
【手続補正４】
【補正対象書類名】明細書
【補正対象項目名】０００９
【補正方法】変更
【補正の内容】
【０００９】
（２）動画と静止画が撮影できる撮像装置であって、光学的手ぶれ補正手段と、前記静止画撮影に先だって、前記動画撮影のときよりも、前記光学的手ぶれ補正手段をその光学的中立位置近傍に戻すように制御する制御手段と、を備えたことを特徴とする撮像装置。